(57)【特許請求の範囲】
【請求項１】
遊技機に装着される部品を収納するボックスであって、
遊技機の部品を収納する筐体本体部と、該収納された部品を外部から遮蔽するようにして該筐体本体部に被せられるカバーとを備えており、
そのカバーは、該筐体本体部と該カバーとを貫通した状態で装着された締め付けネジと該締め付けネジ先端の貫通した側に配置された抜け止めナット具との係合によって該筐体本体部に固定されており、
ここで該抜け止めナット具には、該貫通状態で装着された締め付けネジの引き抜きを阻止するための係止ナット部材が備えられており、その係止ナット部材に該締め付けネジの一部が係合することによって該筐体本体部に対する該カバーの固定状態の維持が実現される遊技機用部品収納ボックス。
【請求項２】
前記締め付けネジの軸部は、雄ねじの形成された先端ねじ部とねじの形成されていない中央部とを有しており、前記抜け止めナット具の中空部には該雄ねじに対応する雌ねじが形成されており、
ここで、該締め付けネジと該抜け止めナット具とは、該締め付けネジが該抜け止めナット具に対して完全に締め込まれたときに該締め付けネジの先端ねじ部が該抜け止めナット具の中空部を突き抜けて螺合しないように構成されており、かつ、前記係止ナット部材は該締め付けネジが該抜け止めナット具に対して完全に締め込まれたときに該締め付けネジ中央部の一部と係合するように設けられている請求項１に記載の遊技機用部品収納ボックス。
【発明の詳細な説明】
【０００１】
【発明の属する技術分野】
本発明は遊技機に装着される電気部品（基板等）その他の部品を収納するのに用いる遊技機用部品収納ボックスに関し、詳しくは、当該部品収納ボックスの封止手段に関する。
【０００２】
【従来の技術】
遊技ホールに設置されているいわゆるパチンコ遊技を実施するための弾球遊技機やその他の据置型遊技機（スロットマシン、カードゲーム機等）には、数多くの電気部品やデリケートな構造のパーツ類（弾球遊技機における賞球払出し装置等）が装備されている。これら部品のうち、例えば種々の遊技装置類の動作を電気的に制御するために構築された回路基板等は、防塵性や組付け作業性の観点から、通常、所定の収納ボックス（筐体）に収納された状態で遊技機に配置されている。
【０００３】
ところで、遊技機に対する深刻な不正行為として、回路基板を収納するボックス（以下「基板収納ボックス」という。）を開けて内部のＲＯＭ等の電気部品を付け替えたり、あるいは、基板収納ボックス（回路基板）に付随するコネクタの配線パターンから別の不正基板に接続させるといった行為等がある。このような不正行為を防止する対策として、典型的には図１６に示すように、遊技機（特に弾球遊技機）に装着する基板収納ボックス１００は、筐体本体部１０１および当該筐体本体部１０１に装填した回路基板等を遮蔽するために当該筐体本体部１０１に被せるカバー１０２の一部（典型的には周縁部）に、それぞれ、ねじ穴１０１ａおよびビス装着孔１０２ａを設けておくと共に、そこにワンウェイビス１０６（即ち一方向規制ネジ）を装着してネジ穴１０１ａに締め付けていた。すなわち、ワンウェイビス１０６の頭部は回動工具（ドライバ等）による締め付けが容易である一方で弛め方向に対する回動工具との係合は困難となる形状に成形されており、不正遊技者によるビス１０６の意図的な弛めおよび引き抜き（挿入方向とは逆方向に引き抜かれること。以下同じ。）を困難なものとしている。さらに、筐体本体部１０１とカバー１０２とが締着された後には、通常、図１７に示すような塞ぎプラグ１０４（典型的には合成樹脂製）が上記ビス装着孔１０２ａに填め込まれている。すなわち、図１６および図１７に示すように、塞ぎプラグ１０４に設けられた挿入部１０５先端の係合片１０５ａを、予めビス装着孔１０２ａの内壁面に設けられた段差に係合することによって取り外し不能な状態で当該ビス装着孔１０２ａに装着されている。これにより、ビス装着孔１０２ａの開口部が塞ぎプラグ１０４の天板部１０７によって塞がれて外部からワンウェイビス１０６頭部に直接回動工具等を触れさせないように工夫がこらされている（図１６）。
【０００４】
【発明が解決しようとする課題】
しかしながら、図１６に示すような従来の基板収納ボックス１００における筐体本体部１０１とカバー１０２との封止手段によっても不正遊技者の不正行為を完全に防止することは困難であった。すなわち、不正遊技者による特殊な操作および／または処理によって、上述の塞ぎプラグ１０４が取り外されたり或いは上記ワンウェイビス１０６が弛められたり引き抜かれたりする場合があった。
【０００５】
本発明は、上述の基板収納ボックス等の遊技機用部品収納ボックスにおける従来の封止手段に係る問題点を解決するものであり、その目的とするところは、防犯上の観点からボックス内部が一旦封止（密閉）された後には外部から不正に再開放されないことを実現するカバーと筐体本体部との封止手段、および、そのような封止手段によって密閉された遊技機用部品ボックスを提供することである。
【０００６】
【課題を解決するための手段】
【０００７】
【０００８】
【０００９】
【００１０】
上記目的を達成するため、本発明は、遊技機に装着される部品を収納するボックスであって、遊技機の部品を収納する筐体本体部と、当該収納された部品を外部から遮蔽するようにして当該筐体本体部に被せられるカバーとを備えており、そのカバーは当該筐体本体部と当該カバーとを貫通した状態で装着された締め付けネジと当該締め付けネジ先端の貫通した側に配置された抜け止めナット具との係合によって当該筐体本体部に固定されており、ここで当該抜け止めナット具には、当該貫通状態で装着された締め付けネジの引き抜きを阻止するための係止ナット部材が備えられており、その係止ナット部材に当該締め付けネジの一部が係合することによって当該筐体本体部に対する当該カバーの固定状態の維持が実現される遊技機用部品収納ボックス（以下「本発明の第三の部品収納ボックス」という。）を提供する。
【００１１】
本発明の第三の部品収納ボックスでは、上記かしめ部材に代えて締め付けネジと抜け止めナット具との係合によって筐体本体部にカバーを固定するとともに、当該抜け止めナット具に備えられた係止ナット部材によって上記貫通状態の締め付けネジの引き抜きを防止している。これにより、本発明の第三の部品収納ボックスでは、筐体本体部の部品装填部分を外部から遮蔽するようにして当該筐体本体部に固定されたカバーの当該筐体本体部に対する固定状態を維持することができる。このため、本発明の第三の部品収納ボックスによっても、上記締め付けネジの引き抜きに基づく上記筐体本体部とカバーとの再開放を防止し、当該再開放による不正行為の発生を防止することができる。
【００１２】
また、本発明は、上述の本発明の第三の部品収納ボックスをさらに好ましくしたものとして、上記締め付けネジの軸部は雄ねじの形成された先端ねじ部とねじの形成されていない中央部とを有しており、上記抜け止めナット具の中空部には当該雄ねじに対応する雌ねじが形成されており、ここで当該締め付けネジと当該抜け止めナット具とは、当該締め付けネジが当該抜け止めナット具に対して完全に締め込まれたときに当該締め付けネジの先端ねじ部が当該抜け止めナット具の中空部を突き抜けて螺合しないように構成されており、かつ、上記係止ナット部材は当該締め付けネジが当該抜け止めナット具に対して完全に締め込まれたときに当該締め付けネジ中央部の一部と係合するように設けられている遊技機用部品収納ボックス（以下「本発明の第四の部品収納ボックス」という。）を提供する。
【００１３】
本発明の第四の部品収納ボックスでは、上記カバーが筐体本体部に固定されている状態（即ち締め付けネジが抜け止めナット具に対して完全に締め込まれている状態）において、上記締め付けネジと抜け止めナット具との螺合（ねじの嵌め合わせ）が解除され、当該先端部は抜け止めナット具の反対側に突き抜けている。このため、本発明の第四の部品収納ボックスでは、たとえ不正遊技者が抜け止めナット具に対して完全に締め込まれた状態の締め付けネジを弛め方向に回転させることに成功し得た場合であっても、締め付けネジが抜け止めナット具と螺合されていない結果、当該締め付けネジはその位置で空回りするのみである。さらにこのとき、締め付けネジの上記中央部において、当該締め付けネジが係止ナット部材に係合するため、当該締め付けネジの引き抜き方向への移動を阻むことができる。従って、本発明の第四の部品収納ボックスによれば、上記締め付けネジの引き抜きに基づく上記筐体本体部とカバーとの再開放を更に効果的に防止し得、当該再開放による不正行為の発生を未然に防止することができる。
【００１４】
【発明の実施の形態】
以下、遊技機としての一典型例である弾球遊技機（パチンコ機）に装備される本発明の部品収納ボックス（上記第三、第四の部品収納ボックスを包含する。以下同じ。）の好適な一実施形態を図面を参照しつつ説明する。先ず、本発明の第三および第四の部品収納ボックスの構成とほぼ同じ構成を有する第一および第二の部品収納ボックスとして好適な一実施形態を説明する。なお、図１は、本実施形態に係る部品収納ボックス１０を装備した弾球遊技機１の裏面構成を示す背面図である。
【００１５】
本実施形態に係る弾球遊技機１は、長方形枠状に成形された木枠３の前面に額縁状に成形されたベース枠および金枠（いずれも図示せず）を備え、その内側に遊技盤面（即ち、釘や風車等を適当に配置した遊技領域）を配備した通常の形式の弾球遊技機１である。図１に示すように、この弾球遊技機１の裏面側には、遊技球発射装置８や機構板７が脱着可能に装着されている。この機構板７には、外部電源に接続される配電盤４、賞球タンク５、賞球払出し装置９等のいわゆるパチンコ遊技を実施するために必要な種々の装置類が備えられている。また、賞球払い出し装置９の下方には、これら機構板７に装備される装置類および弾球遊技機１の正面側に配備される図示しない電気部品（装飾灯等）の動作を制御するための枠制御装置（制御回路基板等）を収納する基板収納ボックス１１が装備されている。なお、機構板７に装着される上記装置類は、一般的な弾球遊技機で通常使用され得るものであればよく、本発明を特定する事項ではないため、詳細な説明は省略する。
【００１６】
一方、機構板７のほぼ中央には弾球遊技機１の裏面側から遊技盤６が装着されている。この遊技盤６は、弾球遊技機１における上記遊技盤面を構成するためのものであり、所定のパチンコ遊技内容に基づいて各種の遊技装置（例えば、変動入賞装置、図柄表示装置、音源、装飾灯、等）が備えられている。而して、この遊技盤６の背面部（すなわち弾球遊技機１の裏面側）には、上記遊技盤面上に配備される上述の各種遊技装置類を所定のプログラムに基づいて作動させるための回路基板（図示せず）を収納した本実施形態に係る部品収納ボックス１０（以下「本基板収納ボックス１０」という。）が装着されている。以下、本弾球遊技機１に装備される本基板収納ボックス１０について詳細に説明する。
【００１７】
図２は、弾球遊技機１の遊技盤６背面部に装着した状態における本基板収納ボックス１０の外形を示した正面図である。また、図３は図２におけるIII −III線矢視断面図である。これら図面から明らかなように、本基板収納ボックス１０は中空状の筐体であり、その基本骨格は上述の従来の一般的な基板収納ボックス１００と同様である（図１６参照）。すなわち、本基板収納ボックス１０は中空状の筐体であって、そのボックス本体は、半透明若しくは不透明な合成樹脂からなる筐体本体部１４とカバー１２とから構成されている。図２および図３に示すように、この筐体本体部１４（即ち基台）は枠状に成型されており、その内側には回路基板１３や静電気遮断用シールド板（図示せず）等がビスその他の結合手段によって装填されている。なお、この回路基板１３には各種の素子類（図示せず）や当該回路基板１３と外部の電気部品（典型的には上記遊技盤６に装備される装置類や枠制御装置）とを電気的に接続するためのコネクタ類２１が装着されており、本弾球遊技機１におけるメイン制御部を構成している。また、筐体本体部１４の一方の端部（図２の上側）には支持軸１６が設けられており、後述するカバー１２に設けられたフック片１５と係合される。また、図２に示すように、筐体本体部１４の左右側面には、それぞれ上下一対をなす係止ピン１８が突出して設けられている。而して、これら係止ピン１８を遊技盤６の裏面側に設けられた図示しない係合片と係合させることによって、本基板収納ボックス１０の弾球遊技機１への装着が行われる。ところで、筐体本体部１４の端部の二ヶ所には後述するカバー１２を当該筐体本体部１４に被せて固定するためのカバー固定部２５が連結片２５ｂを介して設けられている（後述する図４参照）。このカバー固定部２５については後述する。
【００１８】
次に本基板収納ボックス１０のカバー１２について説明する。図２に示すように、本実施形態にかかるカバー１２は、筐体本体部１４の表面のほぼ全体を被覆するものであり、一つの天板部とその四方に形成された側壁部とから成る一体に成型された合成樹脂製の蓋状部材である。このカバー１２の側壁部の一端には上記支持軸１６に回動可能に係合し得るフック片１５が形成されている。而して、図３に示すように、当該フック片１５を上記支持軸１６に係合することによって、当該カバー１２は筐体本体部１４に対して回動可能に軸着される。また、図１および図２に示すように、このカバー１２の天板部および側壁部には、本基板収納ボックス１０内で発生した熱を外部に放散するための小孔形状の放熱口１７が多数形成されている。これにより、カバー１２が被せられて密閉された本基板収納ボックス１０の内部で発生した熱をカバー１２を開放することなく外部に放散することができる。また、カバー１２の天板部には機種名その他のインフォメーションを表示するシール貼付部１９ａ，１９ｂが設けられている（図２）。ところで、本実施形態にかかるカバー１２には、当該カバー１２を筐体本体部１４に被せた際の上記カバー固定部２５に対応する位置に封止部２８が連結片２８ｂを介して設けられている（後述する図４参照）。この封止部２８の構造については後述する。
【００１９】
次に、本発明を特徴付けるカバー１２の筐体本体部１４への固定手段について詳述する。なお、図４および図５は、本基板収納ボックス１０の要部（図２における右下部）を示す一部破断した斜視図である。また、図６は上記カバー固定部２５と封止部２８との締結状況を模式的に示す断面図であり、（Ａ）、（Ｂ）、（Ｃ）および（Ｄ）は、カバー固定部２５と封止部２８とが締結されていく状態を連続的に示している。図２および図４に示すように、筐体本体部１４に設けられた上記カバー固定部２５は、大まかにいって、円状の中空を有する角柱状に形成された４つの同形状の締着部２５ａと当該締着部２５ａを各々筐体本体部１４の側壁部に連結する連結片２５ｂと当該４つの締着部２５ａを並列させて連結する補助連結片２５ｃとから構成されている。なお、カバー固定部２５を構成するこれら部材は、筐体本体部１４自体と同様の合成樹脂から一体に形成され得る。一方、図２および図４に示すように、カバー１２に設けられた上記封止部２８は、大まかにいって、方形状の中空を有する角柱状に形成された４つの同形状のビス取付部２８ａと該ビス取付部２８ａを各々カバー１２の側壁部に連結する連結片２８ｂとから構成されている。なお、封止部２８を構成するこれら部材は、カバー１２自体と同様の合成樹脂から一体に形成され得る。
【００２０】
次に、カバー固定部２５および封止部２８に関する上記各構成部材の形状について詳しく説明する。図６（Ａ）に示すように、筐体本体部１４に設けられたカバー固定部２５の締着部２５ａに形成された上記円状中空は、内径の小さい締着材貫通部分２５ｄとその下方に連続して形成されている当該締着材貫通部分２５ｄよりも内径の大きな締着材かしめ部分２５ｅとから構成されている。而して、締着材かしめ部分２５ｅの下縁部すなわち締着部２５ａの一方の開口部には、当該開口部を塞ぐための合成樹脂から成る遮蔽板２６が接着剤等の一般的なボンディング手段によって固着されている。一方、図６（Ａ）に示すように、カバー１２に設けられた封止部２８のビス取付部２８ａに設けられた上記方形状中空は、後述するかしめ部材３０およびかしめ用ビス３５の挿入開口部に相当する締着材装着部分２８ｃとその下方に連続して形成されている当該締着材装着部分２８ｃよりも内径の小さな締着材貫通部分２８ｄ（ここは円状中空である）とから構成されている。なお、この締着材貫通部分２８ｄの内径と上記締着部２５ａにおける締着材貫通部分２５ｄの内径とはほぼ同一となるように形成されている（後述する他の実施形態についても同様である。）。また、締着材装着部分２８ｃの内壁の一部には凹部２８ｅが形成されており、後述する塞ぎプラグ３７の係合片３８ａを嵌入・係合させることができる（後述の図５および図６（Ｄ）参照）。
【００２１】
次に、本実施形態にかかるかしめ部材３０およびかしめ用ビス３５の構造について説明する。図４および図６（Ａ）に示すように、本実施形態にかかるかしめ部材３０は、大径の方形状に成形された頭部３０ａとそれより小径の円筒形状に成形された軸部３０ｂとからなる一般的なリベット様の外形を有し、かつ、その軸方向の中心部には図示しない雌ねじの形成された円筒状中空部が形成されたナット具形状のかしめ部材３０である。このかしめ部材３０は典型的にはアルミニウムその他の延性の高い金属材から成型されており、その頭部３０ａの形状および外径は上記ビス取付部２８ａにおける締着材装着部分２８ｃに丁度挿入され得る形状およびサイズであって上記締着材貫通部分２８ｄには入り込めない形状およびサイズ（典型的には当該締着材装着部分２８ｃと同じ方形状およびサイズ）に調整されている。他方、軸部３０ｂの形状および外径は上記締着材貫通部分２８ｄに丁度挿入され得る形状およびサイズ（典型的には当該締着材貫通部分２８ｄと同じサイズ）に形成されている。なお、上述のとおり、本実施形態にかかるかしめ部材３０の頭部３０ａが方形・角柱状に形成されており、装着部位において不用意な回転を起こさせないように配慮されている。ところで、図６（Ａ）に示すように、このかしめ部材３０の軸部３０ｂの先端部分３０ｃ（以下「軸先端部３０ｃ」という。）は中空部の内側に膨らむようにやや肉厚に形成されており、結果、当該軸先端部３０ｃにおける中空部の内径は他の部分よりも狭くなっている。なお、このかしめ部材３０の軸部３０ｂは、上記封止部２８の締着材貫通部分２８ｄと上記カバー固定部２５の締着材貫通部分２５ｄとを貫通し得、さらにこれら部分２８ｄ，２５ｄを貫通した位置において後述するようにして軸先端部３０ｃが外方に広がり得る程度の長さに調整されている。
【００２２】
而して、このかしめ部材３０の中空部には当該中空部の雌ねじに対応する雄ねじの形成されたかしめ用ビス３５が装着される。すなわち、図４および図６（Ａ）に示すように、このかしめ用ビス３５は、通常のビスやボルトと同様、大径の頭部３５ａと雄ねじの形成された小径の軸部３５ｂとから構成されている。なお、本実施形態においては、当該かしめ用ビス３５として上述のワンウェイビス形状のものを使用しているが、本実施形態の実施にワンウェイビスの使用は必須ではない。このかしめ用ビス３５は一般的な鉄材から成型されており、その頭部３５ａの外径は上記ビス取付部２８ａにおける締着材装着部分２８ｃに丁度挿入され得るサイズであって上記かしめ部材３０の中空部には入り込めないサイズに形成されている。
【００２３】
次に、上記かしめ部材３０およびかしめ用ビス３５を用いたカバー１２の筐体本体部１４に対する固定方法を詳述する。図６（Ａ）に示すように、予め、かしめ用ビス３５をかしめ部材３０の中空部に差し込んで螺合させたもの（但し上記軸先端部３０ｃに至る所まで螺合させてはならない。）をカバー１２封止部２８における上記締着材装着部分２８ｃに挿入する。このとき、当該締着材装着部分２８ｃの内径とほぼ同じサイズの上記かしめ部材３０の頭部３０ａが当該締着材装着部分２８ｃの内壁部に接触することによっていわゆる仮圧入状態が保たれる。この結果、この状態で本基板収納ボックス１０（カバー１２）をひっくり返しても当該かしめ部材３０およびかしめ用ビス３５が締着材装着部分２８ｃから脱落することはない。
【００２４】
次に、図４および図６（Ｂ）に示すように、仮圧入状態のかしめ部材３０およびかしめ用ビス３５をドライバＷによってさらに奥に押し込み、封止部２８の締着材貫通部分２８ｄおよびカバー固定部２５の締着材貫通部分２５ｄを一気に貫通させる。このとき、上述のとおり、かしめ部材３０の頭部３０ａは封止部２８締着材貫通部分２８ｄに入り込むことができず、結果、当該締着材貫通部分２８ｄを構成する壁面上部がかしめ部材３０頭部３０ａの出っ張り部分下部に接触する位置（即ち図６（Ｂ）および図４に示す位置）で当該かしめ部材３０およびかしめ用ビス３５の押し込みは終了する。而して、この位置で、図６（Ｃ）に示すように、かしめ用ビス３５をドライバＷによって締め込んでいく。ここで、上述のとおり、かしめ部材３０の軸先端部３０ｃは中空部が狭くなっている。このため、かしめ用ビス３５がさらに締め込まれて（螺合されて）当該部分にまでかしめ用ビス３５先端部が進行してきた際には、かしめ部材３０軸先端部３０ｃは当該進行してきたかしめ用ビス３５によって締め付けられ上方に引っ張られるとともにその先端部によって押し広げられる格好となり、結果、カバー固定部２５締着部２５ａの締着材かしめ部分２５ｅに貫通しているかしめ部材３０軸先端部３０ｃは、その貫通した位置から外方に広げられる（図６（Ｃ）および図５参照）。
これにより、かしめ部材３０のかしめが完了し、カバー１２の筐体本体部１４への固定が完了する。而して、かしめ完了後、図５および図６（Ｄ）に示すように、塞ぎプラグ３７を締着材装着部分２８ｃに挿入し、かしめ用ビス３５およびかしめ部材３０を外部から遮蔽する。すなわち、図７に示すように、この塞ぎプラグ３７は締着材装着部分２８ｃの形状・サイズにほぼ適合した方形状の天板部３９と当該天板部３９から下方に延伸する二本の挿入部３８とから構成されている。この挿入部３８の先端部は外方に向けたくちばし状の係合片３８ａを形成しており、締着材装着部分２８ｃに当該塞ぎプラグ３７を挿入した際には、この係合片３８ａが上述の凹部２８ｅに填り込みつつ当該凹部２８ｅの側壁と係合し、結果、当該塞ぎプラグ３７の不用意な脱落を防止する。また、天板部３９の上面はドーム状の曲面を構成しており、不正遊技者が使用するような針金状の異物のひっかかりを防止している。
【００２５】
上述のように、封止部２８およびカバー固定部２５を構成し、それらを上述のかしめ部材３０で締結した結果、たとえ不正遊技者が塞ぎプラグ３７を取り除いてかしめ用ネジ３５を弛め、あるいは抜き去ることに成功したとしても、それに連動して典型的にはアルミニウム製のかしめ部材３０のかしめ状態（即ち上記軸先端部３０ｃの末広がり状態）が弛緩することはない。また、このような典型的にはアルミニウム製の本発明に係るかしめ部材３０を用いた結果、上記かしめ用ネジ３５を弛めるためのトルク値は従前の締め付け手段によって締め付けられている従来のビス１０６（図１６参照）を弛めるためのトルク値よりも高くなり、種々の不正な処理によってもその値は低下し難い。また、カバー固定部２５締着部２５ａにおける締着材かしめ部分２５ｅの開口部には遮蔽板２６が固着しており、不正遊技者がかしめ部材３０の外方に広がった軸先端部３０ｃに直接触れたり、何らかの操作を行うことを防いでいる。このため、本基板収納ボックス１０では、上記かしめ部材３０によってカバー１２の筐体本体部１４に対する固定状態を維持することができるため、カバー１２の不正な再開放を防ぎ、当該ボックス１０の封止状態（密閉状態）を保つことができる。
【００２６】
なお、上述のとおり、本基板収納ボックス１０には、計二ヶ所に上記封止部２８およびカバー固定部２５が設けられており、それぞれ四つのビス取付部２８ａおよび締着部２５ａが備えられている（図２参照）。しかしながら、カバー１２を筐体本体部１４に固定するのにこれら四つのビス取付部２８ａおよび締着部２５ａを一度に使用する必要はなく、各ヶ所において一つずつのビス取付部２８ａおよび締着部２５ａを使用すればよい。例えば、図２において１の番号が付された計二組のビス取付部２８ａおよび締着部２５ａのみを用いてカバー１２を筐体本体部１４に固定することができる。そして、内部装填物の検査その他の理由により再開放が必要となった場合、ニッパーやカッター等で上記連結片２５ｂ，２８ｂおよび補助連結片２５ｃを切断し、かしめ部材３０によって締結された１の番号が付された計二組のビス取付部２８ａおよび締着部２５ａを取り除くことで、本基板収納ボックス１０を開放することができる。そして、再び封止したい場合（即ちカバー１２を筐体本体部１４に固定する場合）には、図２において２の番号が付された計二組のビス取付部２８ａおよび締着部２５ａのみを用いてカバー１２を筐体本体部１４に再固定することができる（図４および図５はこの状態を示している。）。なお、本基板収納ボックス１０を１の番号が付された計二組のビス取付部２８ａおよび締着部２５ａを用いて最初に封止した際には、残る３組のビス取付部２８ａに予め図６（Ａ）に示すようにかしめ部材３０およびかしめ用ビス３５を仮圧入状態で装着しておいてもよい（図２参照）。また、残る３組（計６個）のビス取付部２８ａの締着材装着部分２８ｃに装着するための予備の塞ぎプラグ３７は、カバー１２天板部の裏面にビス着された保持部材４０の四方に延伸する複数の保持アーム４０ａの先端に取り付けておく。こうすることによって、再開放に続く再封止作業時に塞ぎプラグ３７の供給を別途行う必要がなくなる。而して、カバー１２を開放した後、再封止（固定）作業を行う際には、必要数の塞ぎプラグ３７を保持アーム４０ａから取り外して使用すればよいので便利である。
【００２７】
以上、第一および第二の部品収納ボックスとして好適な一形態を説明したが、本実施形態の実施にあたり、かしめ部材３０および当該かしめ部材３０の先端部分を外方に広げるための締着材（ここではかしめ用ビス３５）は上記形態のものに限られない。次に、本実施形態に係るかしめ部材および当該かしめ部材の先端部分を外方に広げ得る締着材の好適な他の一形態を図８〜図１１を参照しつつ説明する。本実施形態にかかる部品収納ボックス５０も上述の本基板収納ボックス１０と同様の筐体本体部５４とカバー５２とからその外形が構成されており、その内部には回路基板５３等の電気部品が装填されている。而して、筐体本体部５４とカバー５２の端部には、上記実施形態と同様、カバー固定部５５と封止部５８とが形成されており、それぞれ連結片５５ｂ，５８ｂを介して締着部５５ａおよびビス取付部５８ａが設けられている。而して、図８に示すように、上記実施形態と同様、締着部５５ａならびにビス取付部５８ａには、それぞれ、円形中空状の締着材貫通部分５５ｄと締着材かしめ部分５５ｅ、方形中空状の締着材装着部分５８ｃと円形中空状の締着材貫通部分５８ｄが形成されている。
【００２８】
次に、本実施形態に係るかしめ部材６０およびかしめ用ビス６５について説明する。図８に示すように、本実施形態に係るかしめ部材６０は、大径の頭部６０ａとそれより小径の軸部６０ｂとからなる一般的なリベット様の外形を有し、かつ、その軸方向の中心部には円筒状中空部が形成されたナット具形状のかしめ部材６０である。このかしめ部材６０は典型的にはアルミニウムその他の延性の高い金属材から成型されており、その頭部６０ａの形状（好ましくは回転防止のために方形状に成形される）および外径は上記ビス取付部５８ａにおける締着材装着部分５８ｃに挿入され得る形状およびサイズであって上記締着材貫通部分５８ｄには入り込めない形状およびサイズに形成されている。他方、軸部６０ｂの形状および外径は上記締着材貫通部分５８ｄに丁度挿入され得る形状およびサイズに形成されているものの、本実施形態においては軸部６０ｂの内径は部位によって異なっている。すなわち、図８に示すように、軸部６０ｂの先端側（以下「軸先端部６０ｄ」という。）は、軸部６０ｂの根本側（以下「軸基幹部６０ｃ」という。）よりも内径が細くなるように形成されている。而して、その軸先端部６０ｄには後述するかしめ用ビス６５の雄ねじと対応する雌ねじが形成されている。なお、軸基幹部６０ｃにはねじは形成されていない。なお、このかしめ部材６０の軸部６０ｂの長さが上記ビス取付部５８ａの締着材貫通部分５８ｄと上記締着部５５ａの締着材貫通部分５５ｄとを貫通し得、さらにこれら部分５８ｄ，５５ｄを貫通した位置において後述するようにして軸先端部６０ｄが外方に広がり得る程度の長さが必要である。
【００２９】
而して、このかしめ部材６０の中空部には本実施形態に係るかしめ用ビス６５が装着される。すなわち、図９に示すように、このかしめ用ビス６５は、通常のビスやボルトと同様、大径の頭部６５ａと小径の軸部６５ｂとから構成されている。而して、軸部６５ｂの先端部分にのみ上記軸先端部６０ｄの雌ねじに対応する雄ねじが形成されている（以下この部分を「雄ねじ形成部６５ｃ」という。）。このかしめ用ビス６５は一般的な鉄材から成型されており、その頭部６５ａの外径は上記ビス取付部５８ａにおける締着材装着部分５８ｃに挿入され得るサイズであって上記かしめ部材６０の中空部には入り込めないサイズに形成されている。また、軸部６５ｂの長さは、当該頭部６５ａがかしめ部材６０の頭部６０ａに当接した際になお雄ねじ形成部６５ｃがかしめ部材６０軸先端部６０ｄに螺合している程度にまで長く設定されていることが重要である。
【００３０】
次に、上記かしめ部材６０およびかしめ用ビス６５を用いて、本実施形態に係るカバー５２の筐体本体部５４に対する固定方法を詳述する。図８に示すように、先ず、かしめ部材６０をカバー５２封止部５８におけるビス取付部５８ａの上記締着材装着部分５８ｃの奥まで押し込み、封止部５８におけるビス取付部５８ａの締着材貫通部分５８ｄおよびカバー固定部５５における締着部５５ａの締着材貫通部分５５ｄを一気に貫通させる。このとき、かしめ部材６０の頭部６０ａはビス取付部５８ａ締着材貫通部分５８ｄに入り込むことができない結果、当該締着材貫通部分５８ｄを構成する壁面上部がかしめ部材６０頭部６０ａの出っ張り部分下部に接触する位置で当該かしめ部材６０の押し込みは終了する。このとき、当該締着材貫通部分５８ｄの内径とほぼ同じサイズの上記かしめ部材６０の軸部６０ｂが当該締着材貫通部分５８ｄの内壁部に接触することによっていわゆる仮圧入状態が保たれ、当該かしめ部材６０が締着材装着部分５８ｃ開口部から脱落することはない。
【００３１】
次いで、図９に示すように、かしめ用ビス６５をドライバによってかしめ部材６０の中空部に締め込んでいく。そして、かしめ用ビス６５の頭部６５ａがかしめ部材６０の頭部に当接してもなお、締め込みを継続する。すると、図１０に示すように、かしめ用ビス６５の締め付け力に屈したかしめ部材６０の軸先端部６０ｄにおいて、上方（即ちビス取付部５８ａ方向）に引き上げられるように撓みが生じてくる。而して、さらに締め込みを継続する結果、ついにはかしめ部材６０の軸先端部６０ｄは、図１１に示すように、貫通した締着部５５ａの締着材かしめ部分５５ｅにおいて、その貫通した位置から外方に撓み広げられる。このことによって、かしめ部材６０のかしめが完了し、カバー５２の筐体本体部５４への固定が完了する。その結果、上述の実施形態に係る本基板収納ボックス１０におけるのと同様、たとえ不正遊技者がかしめ用ビス６５を弛め、あるいは抜き去ることに成功したとしても、典型的にはアルミニウム製のかしめ部材６０のかしめ状態（即ち上記軸先端部６０ｄの外方への広がり状態）が弛緩することはない。また、上述の実施形態と同様、カバー固定部５５締着部５５ａにおける締着材かしめ部分５５ｅの開口部には遮蔽板５６を固着させており、不正遊技者がかしめ部材６０の外方に広がった軸先端部６０ｄに直接触れたり、何らかの操作を行うことを防いでいる。このため、本実施形態に係る基板収納ボックス５０によっても、カバー５２の不正な再開放を防ぎ、ボックス５０内部の封止状態（密閉状態）を保つことが可能となる。
【００３２】
次に、本発明の第三および第四の部品収納ボックスとして好適な一実施形態を図面を参照しつつ説明する。なお、本実施形態において、後述する封止部７８およびカバー固定部７５に関するもの以外の構成はいずれも上記実施形態と同様であるので、以下に説明する図１２〜図１５は、後述する封止部およびカバー固定部の要部のみを示している。本実施形態に係る部品収納ボックスも上述の本基板収納ボックス１０と同様の筐体本体部とカバーとからその外形が構成されており、その内部には回路基板等の電気部品が装填されている。而して、図１３に示すように、筐体本体部とカバー（図示せず）の端部には上記実施形態と同様のカバー固定部７５と封止部７８とが形成されており、連結片７５ｂ，７８ｂを介して締着部７５ａおよびビス取付部７８ａが設けられている。而して、図１３に示すように、上記実施形態と同様、締着部７５ａならびにビス取付部７８ａには、それぞれ、円形中空状の締着材貫通部分７５ｄと方形中空状の締着材かしめ部分７５ｅ、ならびに円形中空状の締着材装着部分７８ｃと円形中空状の締着材貫通部分７８ｄが形成されている。なお、図１３に示すように、本実施形態において、ビス取付部７８ａの底面は凸状に突出しており、対応する締着部７５ａの上面は凹状に窪んでいる。このため、これら凹凸を嵌合させることでカバー固定部７５と封止部７８との位置決めが容易となる。
【００３３】
次に、本実施形態に係る締め付けネジ８５と抜け止めナット具８０について説明する。先ず、締め付けネジ８５について説明する。図１３に示すように、本実施形態に係る締め付けネジ８５は、大径の逆円錐状の頭部８５ａとそれより小径の軸部８５ｂとから構成されている。この軸部８５ｂはさらに、頭部８５ａ寄りのねじの形成されていない基幹部８５ｃと、雄ねじの形成された先端部８５ｆと、当該基幹部８５ｃと先端部８５ｆとの間に形成されるやや直径の小さい中間部８５ｅとから構成されている。すなわち、本実施形態においては、本発明の第四の部品収納ボックスに係る上記中央部は基幹部８５ｃと中間部８５ｅとから構成される。また、基幹部８５ｃの所望する一部には、凹部８５ｄが全周に亘って形成されている（図１３）。なお、各部位のサイズ（直径）は、基幹部８５ｃが最も太く、次いで、先端部８５ｆ、中間部８５ｅ、凹部８５ｄの順に細くなる。また、中間部８５ｅは、後述するボス８１のねじ形成部分８１ｂよりも長くなるように形成されている。
【００３４】
本実施形態に係る抜け止めナット具８０は、図１３に示すように、締着部７５ａの締着材かしめ部分７５ｅに嵌装されるボス８１と当該ボス８１と締着部７５ａとの間に挟み込まれる係止ナット部材８２とから構成されている。図１２に示すように、この係止ナット部材８２は、締着材かしめ部分７５ｅに丁度収容し得るサイズのうすい方形プレート状に形成されており、その中央には締め付けネジ８５を通常では貫通させ得ない程度の比較的小さな貫通孔８２ａが形成されている。而して、その周囲にはスリットを設けたことによって一方の面にやや折り曲げられた係止片８２ｂが形成されている。このことによって、後述するように、締め付けネジ８５は当該折り曲げ方向に強く押されたときに限り上記貫通孔８２ａを不可逆的に通ることが可能となる。
【００３５】
一方、抜け止めナット具８０を構成するボス８１はその一部が締着材かしめ部分７５ｅに丁度嵌装し得るサイズに形成された角柱状の部材であり、その中心部には上記締め付けネジ８５の軸部８５ｂを貫通させるための中空部が形成されている。図１３に示すように、この中空部は、内径の異なる３部分から構成されている。すなわち、図１３における上部から順にいうと、締め付けネジ８５の上記先端部８５ｆおよび中間部８５ｅは通過可能だが基幹部８５ｃは入り込めない係止部分８１ａ、上記先端部８５ｆにおける雄ねじに対応した雌ねじの形成されたねじ形成部分８１ｂおよび当該ねじ形成部分８１ｂを貫通した締め付けネジ８５先端部８５ｆに接触し得ない程度に内径が広く確保されている非接触部分８１ｃである。なお、非接触部分８１ｃ下方の開口部は、開放したままでもよいし上記実施形態におけるような遮蔽板で遮蔽してもよい。
【００３６】
次に、上記締め付けネジ８５および抜け止めナット具８０を用いて、本実施形態に係る部品収納ボックスにおいてのカバーの筐体本体部に対する固定方法を詳述する。図１３に示すように、先ず、カバー固定部７５締着部７５ａにおける締着材かしめ部分７５ｅに抜け止めナット具８０を圧入する。すなわち、上記係止ナット部材８２を挟み込むようにしてボス８１の一部を締着材かしめ部分７５ｅに嵌装する。このとき、締め付けネジの締着方向と係止ナット部材８２の係止片８２ｂ折り曲げ方向が同調するようにして係止ナット部材８２を挟み込むことが重要である。次いで、図１３に示すように、封止部７８ビス取付部７８ａにおける締着材装着部分７８ｃから挿入した締め付けネジ８５をそのまま押し込み、図１４に示すように、締め付けネジ８５の先端部８５ｆとボス８１のネジ形成部分８１ｂとを螺合させ、そのまま締め込む。このとき、締め付けネジ８５の先端部８５ｆとボス８１ねじ形成部分８１ｂとの螺合によって結果的にボス８１は上方に引き上げられることとなり、その締結力によってボス８１は強く締着材かしめ部分７５ｅに圧入されることとなる。同時にその締結力を利用して締め付けネジ８５の軸部８５ｂは係止ナット部材８２貫通孔８２ａを係止片８２ｂを押し広げるようにして通ることが可能となる。而して、図１５に示すように、締め付けネジ８５の先端部とボス８１のねじ形成部分８１ｂとの螺合が終了して、当該締め付けネジ８５の先端部８５ｆが上記非接触部分８１ｃにまで至ったとき、上記係止ナット部材８２の係止片８２ｂを締め付けネジ８５の上記凹部８５ｄに填り込ませるようにしてある。
【００３７】
このような構成とした結果、もはや締め付けネジ８５の引き抜きは不能となる。すなわち、締め付けネジ８５を挿入方向とは逆方向に引き抜こうとした場合、上記凹部８５ｄに填り込んだ上記係止ナット部材８２の係止片８２ｂが凹部８２ｄより下方にある基幹部８５ｃに係合してしまい、結果、当該締め付けネジ８５の引き抜きが当該係合によって阻まれるからである。また、本実施形態においては、図１５に示すように、締着部７５ａとビス取付部７８ａとの締結完了後は、もはや締め付けネジ８５の先端部８５ｆは、いずれにも螺合しておらず、当該ネジ８５を弛め方向に回しても空回りするばかりで引き抜かれるおそれはない。従って、本実施形態に係る部品収納ボックスによっても、上述の各実施形態に係る基板収納ボックス１０，５０と同様、カバーの不正な再開放を防ぎ、ボックス内部の封止状態（密閉状態）を保つことが可能となる。
【００３８】
以上、部品収納ボックスの好適ないくつかの実施形態を図面を参照しつつ説明したが、部品収納ボックスは、上述の各実施形態に限定されない。例えば、第一あるいは第二の部品収納ボックスとしての上述の実施形態は、いずれも中空部に雌ねじを形成するナット具形状のものをかしめ部材３０，６０としているが、第一の部品収納ボックスにおいては、上記筐体本体部とカバーとを貫通した状態で締着されたかしめ部材の先端部分がその貫通した位置において外方に広がることによってかしめが完了していればよく、上記ナット具形状のものに限定されない。例えば、雌ねじの形成されていない中空を有するいわゆるブラインドリベット形状のかしめ部材によって上記筐体本体部とカバーとを貫通させ、その状態で釘状の締着材を当該中空に押し込んだり或いは引っ張ったりして当該ブラインドリベット形状かしめ部材の貫通した先端部を外方に広げてかしめるものでもよい。なお、上述の実施形態では、筐体本体部とカバーとから側方に張り出した状態で上記カバー固定部２５，５５および封止部２８，５８が設けられているが、このような形状は内部検査等の目的のために再開放を意図した付加的なものにすぎず、カバーと筐体本体部とを上記かしめ部材によって封止する部位はなんら限定されない。
【００３９】
また、本発明の第三あるいは第四の部品収納ボックスとしての上述の実施形態は、上記締め付けネジ８５として、雄ねじの形成された先端ねじ部と雄ねじの形成されていない中央部（即ち上述の基幹部８５ｃおよび中間部８５ｅ）とを有するものを使用したが、本発明における上記締め付けネジは、上記抜け止めナット具に装備された係止ナット部材との係合によって、上記筐体本体部とカバーとを貫通した状態で装着された際に引き抜きが阻止され得るものであればよく、例えば上記中間部８５ｅに雄ねじの形成されたものであってもよい。また、上記実施形態では、抜け止めナット具を構成するボスと係止ナット部材とが別体で構成されているが、これに限定されず、ボスと係止ナット部材とが一体に構成されたものでもよい。このような変更例は本発明の実施の一例であり、本明細書および図面に開示された情報に基づく当業者の設計事項にすぎないものであり、本願特許請求の範囲から逸脱するものではない。
【００４０】
【発明の効果】
本発明によれば、遊技機に装着される部品収納ボックスであって、防犯上の観点から当該ボックス内部が一旦封止（密閉）された後には外部から不正に再開放されないように封止（密閉）された遊技機用部品ボックスが提供される。
【００４１】
【００４２】
また、本発明の第三および第四の部品収納ボックスでは、上記かしめ部材に代えて締め付けネジと抜け止めナット具との係合によって筐体本体部にカバーを固定するとともに、当該抜け止めナット具に備えられた係止ナット部材によって上記貫通状態の締め付けネジの引き抜きを防止しており、上記締め付けネジの引き抜きに基づく上記筐体本体部とカバーとの再開放を防止することができる。従って、本発明の第三および第四の部品収納ボックスによれば、当該再開放による不正行為の発生を未然に防止することができる。
【図面の簡単な説明】
【図１】  一実施形態に係る部品収納ボックスを装備した弾球遊技機の背面図である。
【図２】  一実施形態に係る部品収納ボックスを示した正面図である。
【図３】  図２におけるIII −III 線矢視断面図である。
【図４】  一実施形態に係る部品収納ボックスの要部を示す一部破断の斜視図である。
【図５】  一実施形態に係る部品収納ボックスの要部を示す一部破断の斜視図である。
【図６】  一実施形態に係る部品収納ボックスにおけるかしめ部材の締着状況を説明する断面図であり、（Ａ）はかしめ部材を仮圧入した状態、（Ｂ）はかしめ部材を押し込んだ状態、（Ｃ）はかしめ部材をかしめた状態、および（Ｄ）はかしめ完了後に塞ぎプラグを装着した状態を示す。
【図７】  一実施形態に係る塞ぎプラグの外観を示す斜視図である。
【図８】  一実施形態に係る部品収納ボックスにおいてかしめ部材を装着した状態を説明する断面図である。
【図９】  一実施形態に係る部品収納ボックスにおいてかしめ部材に締着材を締め込んでいる状態を説明する断面図である。
【図１０】  一実施形態に係る部品収納ボックスにおいてかしめ部材に締着材を締め込んでいる状態を説明する断面図である。
【図１１】  一実施形態に係る部品収納ボックスにおいてかしめ部材に締着材を締め込んでかしめを完了した状態を説明する断面図である。
【図１２】  一実施形態に係る部品収納ボックスに使用される係止ナット部材の外観を示す斜視図である。
【図１３】  一実施形態に係る本発明の部品収納ボックスにおける締め付けネジおよび抜け止めナット具の装着状況を説明する断面図である。
【図１４】  一実施形態に係る本発明の部品収納ボックスにおける締め付けネジを抜け止めナット具に締め込んでいる状態を説明する断面図である。
【図１５】  一実施形態に係る本発明の部品収納ボックスにおける締め付けネジと抜け止めナット具の係止ナット部材との係合状況を説明する断面図である。
【図１６】  従来の基板収納ボックスにおける封止手段を模式的に説明する断面図である。
【図１７】  従来の塞ぎプラグの外観を示す斜視図である。
【符号の説明】
１  弾球遊技機
６  遊技盤
１０，５０，１００  基板収納ボックス
１２，５２，１０２  カバー
１３，５３  回路基板
１４，５４，１０１  筐体本体部
２５，５５，７５  カバー固定部
２５ａ，５５ａ，７５ａ  締着部
２５ｂ，５５ｂ，７５ｂ  連結片
２８，５８，７８  封止部
２８ａ，５８ａ，７８ａ  ビス取付部
２８ｂ，５８ｂ，７８ｂ  連結片
３０，６０  かしめ部材
３５，６５  かしめ用ビス
８０  抜け止めナット具
８１  ボス
８２  係止ナット部材
８５  締め付けネジ
【図１】
0004092420.tif 000002
【図２】
0004092420.tif 000003
【図３】
0004092420.tif 000004
【図４】
0004092420.tif 000005
【図５】
0004092420.tif 000006
【図６】
0004092420.tif 000007
【図７】
0004092420.tif 000008
【図８】
0004092420.tif 000009
【図９】
0004092420.tif 000010
【図１０】
0004092420.tif 000011
【図１１】
0004092420.tif 000012
【図１２】
0004092420.tif 000013
【図１３】
0004092420.tif 000014
【図１４】
0004092420.tif 000015
【図１５】
0004092420.tif 000016
【図１６】
0004092420.tif 000017
【図１７】
0004092420.tif 000018